(57)【特許請求の範囲】
【請求項１】
アリ毒餌剤を収容する容器本体と、前記容器本体の上を覆う蓋体とを備えたアリ毒餌剤容器であって、
前記容器本体は、平坦な底部と、前記底部の縁部の全周囲３６０度に亘って立設され、複数箇所に出入口が形成された周壁部と、前記周壁部の内側空間に全周囲３６０度に亘って形成された土手部と、前記土手部で全周囲３６０度に亘って囲まれた毒餌剤収納部と、を有し、
前記各出入口の近傍の前記周壁部と前記土手部との間における前記底部には、アリが前記土手部を乗越えるように前記蓋体との間に空間を有するローパティションが前記底部から約２〜５ｍｍの範囲の高さで前記周壁部と前記土手部とをつなぐように形成されているアリ毒餌剤容器。
【請求項２】
前記毒餌剤収納部が、中央仕切壁によって複数の毒餌剤収納部に仕切られている請求項１記載のアリ毒餌剤容器。
【請求項３】
前記ローパティションは、前記中央仕切壁により仕切られたそれぞれの前記毒餌剤収納部を囲う前記土手部の一部と前記周壁部との間に形成された複数の前記ローパティション毎に、高さが異なっている請求項２記載のアリ毒餌剤容器。
【発明の詳細な説明】
【技術分野】
【０００１】
本発明は、アリなどの害虫駆除用の毒餌剤を収納するアリ毒餌剤容器に関する。
【背景技術】
【０００２】
〈従来のアリ毒餌剤容器〉
容器の周側下部に害虫の出入口を設け、かつ容器の内部にアリ毒餌剤の収納部を有するアリ毒餌剤容器において、容器のアリ毒餌剤収納部の周囲を取り囲むように土手部が形成されているアリ毒餌剤容器がこれまで提案されている（特許文献１および２参照）。
【先行技術文献】
【特許文献】
【０００３】
【特許文献１】日本国特許第３７５５７８９号公報
【特許文献２】日本国特表２００１−５００７３９号公報
【０００４】
〈特許文献１記載のアリ毒餌剤容器〉
図９は、特許文献１記載のアリ毒餌剤容器の斜視図である。
毒餌剤容器は、アリ毒餌剤を収容する容器本体１００と、この容器本体１００の上を覆う蓋体から構成される。
【０００５】
〈特許文献１記載の容器本体１００〉
容器本体１００は、平坦な底板部（底部）１００Ｂと、底板部１００Ｂの縁部の全周囲３６０度に亘って立設され、複数箇所に出入口１００Ｅが形成された外壁（周壁部）１００Ａと、外壁１００Ａの内側空間に全周囲３６０度に亘って形成された周壁部（土手部）１００Ｄと、周壁部１００Ｄで全周囲３６０度に亘って囲まれた毒餌剤収納部１００Ｐ１、１００Ｐ２とを備える。
周壁部１００Ｄは、底板部１００Ｂから容器中央に向けて傾斜して立設される傾斜壁１００Ｓと、傾斜壁１００Ｓの頂上に全周囲３６０度に亘って形成され、中央に小さな突部１００Ｔを備えた上面板（平坦部）１００Ｈと、上面板１００Ｈの縁部（傾斜壁１００Ｓの反対側縁部）から底板部１００Ｂに向けて形成された立壁（収納壁）１００Ｗとから成る。
そして、容器本体１００は、図示していない蓋体で覆われて、アリ毒餌剤容器として使用される。
なお、運送中にアリ毒餌剤が毒餌剤収納部１００Ｐ１、１００Ｐ２の上部からこぼれ出ないようにするため、周壁部１００Ｄの上部をシールで覆っている。突部１００Ｔは、使用直前にこのシールを剥がして使用するとき、剥がれ易くするために形成されている。
【０００６】
〈特許文献１のアリ毒餌剤容器の使用法〉
アリ毒餌剤容器の毒餌剤収納部１００Ｐ１、１００Ｐ２のそれぞれにアリの種類（クロヤマアリ、トビイロケアリなど）に応じて異なった種類の毒餌剤を入れて、アリの通り道に置いておく。アリがアリ毒餌剤容器の出入口１００Ｅから容器内部に侵入し、横方向に移動し、そのうち周壁部１００Ｄの上に上がって、毒餌剤収納部１００Ｐ１、１００Ｐ２に到達し、餌を咥えて、周壁部１００Ｄを越えて底板部１００Ｂに戻り、出入口１００Ｅから出て行き、毒餌を運んで巣に戻る。
【０００７】
しかしながら、特許文献１記載のアリ毒餌剤容器にあっては、周壁部１００Ｄを乗り越え毒餌剤収納部１００Ｐ１、１００Ｐ２に入るアリが少なく、土手乗り越え率が低いという課題があった。
【０００８】
〈特許文献２記載の爬行昆虫用捕虫器２０１〉
図１０は、特許文献２記載の爬行昆虫用捕虫器（アリ毒餌剤容器）２０１の分解斜視図である。
爬行昆虫用捕虫器２０１は、各々一体として形成されたベース（容器本体）２００と、カバー（蓋体）２１０を有し、カバー２１０はベース２００に止められている。
【０００９】
〈特許文献２記載のベース２００〉
ベース２００は、餌を収容する餌カップ（毒餌剤収納部）２０８と、周辺フランジ２０２と、閉じた寸法形状を画底する餌カップ壁２０３（土手部）と、餌カップ壁２０３に沿って長手方向に延びている２つの側部支持物２０６と、側部支持物２０６から離れた位置でベース２００から上向きに延びる端部支持物２０９とを含んでいる。
餌カップ２０８は中央床２０７を有し、中央床２０７は虫がはい上がることのできる餌カップ壁２０３によって囲まれている。餌カップ壁２０３は、最上延長部の方に上向きに広がっている傾斜部（傾斜壁）２０５を含む。
周辺フランジ２０２の遠位にあって餌カップ２０８に隣接する一部分が、周辺床（底部）２０４とされる。
カバー２１０は、ベース２００の周辺フランジ２０２に取り付け固定されるカバー・フランジ２１１と、シェル壁２１４を含むシェル２１３と、を有する。
シェル壁２１４は、餌カップ２０８から離間しており、周辺床２０４を含む通路を画定する。シェル２１３はルーフ２１７を含み、ルーフ２１７は側部支持物２０６及び端部支持物２０９によって支持されている。
側部支持物２０６に対応するシェル壁２１４の一部が、控え室シェル壁２１８を構成しており、控え室シェル壁２１８には控え室ドア２１５が設けられている。更に、シェル壁２１４には、追加のドア２１６も設けられている。
控え室ドア２１５は、側部支持物２０６に対して、控え室ドア２１５を通じての餌カップ２０８への直接アクセスが側部支持物２０６によって塞がれるか、又は少なくとも制限されるような位置にある。
特許文献２のベース２００が特許文献１の容器本体１００と異なるのは、控え室ドア２１５の近傍における餌カップ壁２０３の上部に、ルーフ２１７を支持する側部支持物２０６及び端部支持物２０９が複数箇所に形成されている点である。
【００１０】
〈特許文献２の爬行昆虫用捕虫器２０１の使用法〉
爬行昆虫用捕虫器２０１の餌カップ２０８に図示しない餌を入れて、アリの通り道に置いておくと、アリが爬行昆虫用捕虫器２０１の控え室ドア２１５を通って爬行昆虫用捕虫器２０１の中に入り、側部支持物２０６を避けて、餌カップ壁２０３を登ることによって餌カップ２０８の中に入っている餌にアクセスすることができる。
【００１１】
しかしながら、特許文献２記載の爬行昆虫用捕虫器２０１にあっては、控え室ドア２１５の近傍に側部支持物２０６が形成されているにもかかわらず、餌カップ壁２０３を乗り越えて餌カップ２０８に入るアリが少なく、特許文献１記載のアリ用捕虫器と同じく土手乗り越え率が低かった。
【発明の概要】
【発明が解決しようとする課題】
【００１２】
本発明は、上記課題を解決するものであって、より多くのアリが土手部を乗り越えて毒餌剤収納部に入り易くしたアリ毒餌剤容器を提供することを目的としている。
【課題を解決するための手段】
【００１３】
本発明の上記課題は、下記構成により解決することができる。
（１）  アリ毒餌剤を収容する容器本体と、前記容器本体の上を覆う蓋体とを備えたアリ毒餌剤容器であって、
前記容器本体は、平坦な底部と、前記底部の縁部の全周囲３６０度に亘って立設され、複数箇所に出入口が形成された周壁部と、前記周壁部の内側空間に全周囲３６０度に亘って形成された土手部と、前記土手部で全周囲３６０度に亘って囲まれた毒餌剤収納部と、を有し、
前記各出入口の近傍の前記周壁部と前記土手部との間における前記底部には、アリが前記土手部を乗越えるように前記蓋体との間に空間を有するローパティションが前記底部から約２〜５ｍｍの範囲の高さで前記周壁部と前記土手部とをつなぐように形成されているアリ毒餌剤容器。
（２）  前記毒餌剤収納部が、中央仕切壁によって複数の毒餌剤収納部に仕切られている上記（１）に記載のアリ毒餌剤容器。
（３）  前記ローパティションは、前記中央仕切壁により仕切られたそれぞれの前記毒餌剤収納部を囲う前記土手部の一部と前記周壁部との間に形成された複数の前記ローパティション毎に、高さが異なっている上記（２）に記載のアリ毒餌剤容器。
【発明の効果】
【００１４】
以上のように、本発明に係るアリ毒餌剤容器においては、出入口近傍に土手部を乗越えるように蓋体との間に空間を有するローパティションを設けることで、これがアリの歩行行動の妨げとならない程度の低いものであるにもかかわらず、これが通路にあるだけで、アリは意外にもローパティションを乗り越えて土手部の周囲を歩行する行動をせずに、かつ、Ｕターンすることもせずに、土手部を登り始めるようになり、その結果、土手乗り越え率を高くすることができる。
【図面の簡単な説明】
【００１５】
【図１】図１（Ａ）はアリ毒餌剤容器の本発明の実施形態１に係る容器本体を説明する平面図、図１（Ｂ）は図１（Ａ）の正面図、図１（Ｃ）は図１（Ａ）の側面図、図１（Ｄ）は図１（Ａ）のＤ−Ｄ矢視断面図、図１（Ｅ）は図１（Ａ）のＥ−Ｅ矢視断面図、図１（Ｆ）は図１（Ａ）の底面図である。
【図２】図２は本発明の実施形態１に係る容器本体の斜視図である。
【図３】図３（Ａ）はアリ毒餌剤容器の本発明の実施形態１に係る蓋体を説明する平面図、図３（Ｂ）は図３（Ａ）のＢ−Ｂ矢視断面図、図３（Ｃ）は図３（Ａ）の底面図である。
【図４】図４（Ａ）は本発明の実施形態１に係る容器本体と蓋体から成るアリ毒餌剤容器を説明する平面図、図４（Ｂ）は図４（Ａ）の正面図、図４（Ｃ）は図４（Ａ）の４Ｃ−４Ｃ矢視断面図、図４（Ｄ）は図４（Ａ）の４Ｄ−４Ｄ矢視断面図である。
【図５】図５（Ａ）はアリ毒餌剤容器の本発明の実施形態２に係る容器本体を説明する平面図、図５（Ｂ）は図５（Ａ）の正面図、図５（Ｃ）は図５（Ａ）の側面図、図５（Ｄ）は図５（Ａ）のＤ−Ｄ矢視断面図、図５（Ｅ）は図５（Ａ）のＥ−Ｅ矢視断面図、図５（Ｆ）は図５（Ａ）の底面図である。
【図６】図６は本発明の実施形態２に係る容器本体の斜視図である。
【図７】図７はアリの全高を説明する図である。
【図８】アリ毒餌剤容器の本発明の参考例に係る容器本体の斜視図である。
【図９】特許文献１に記載のアリ毒餌剤容器の容器本体の斜視図である。
【図１０】特許文献２に記載の爬行昆虫用捕虫器の分解斜視図である。
【発明を実施するための形態】
【００１６】
以下、本発明の実施形態１を図１〜図４に基づいて説明する。
（実施形態１）
【００１７】
〈アリ毒餌剤容器３０〉
アリ毒餌剤容器３０（図４参照）は、本発明の実施形態１に係る容器本体１０（図１および図２参照）と、この容器本体１０を覆う蓋体２０（図３参照）とから構成されて成る。
以下、容器本体１０と蓋体２０についてこの順に説明する。
【００１８】
〈容器本体１０〉
容器本体（図１、図２参照）１０は、平坦な底部１０Ｂと、底部１０Ｂの縁部の全周囲３６０度に亘って立設され、複数箇所に出入口１０Ｅが形成された周壁部１０Ａと、周壁部１０Ａの内側空間に全周囲３６０度に亘って形成された土手部１０Ｄと、土手部１０Ｄで全周囲３６０度に亘って囲まれた毒餌剤収納部１０Ｐと、を有する。
【００１９】
《土手部１０Ｄ》
土手部１０Ｄは、容器本体１０の底部１０Ｂに設けられる毒餌剤収納部１０Ｐから毒餌剤がこぼれないように形成される高い仕切りで、底部１０Ｂから容器中央に向けて傾斜して立設される傾斜壁１０Ｓと、傾斜壁１０Ｓの頂上に全周囲３６０度に亘って形成され、中央に小さな突部１０Ｔを備えた平坦部１０Ｈと、平坦部１０Ｈの縁部（傾斜壁１０Ｓの反対側縁部）から底部１０Ｂに向けて形成された収納壁１０Ｗとから成る。
土手部１０Ｄの高さはアリ毒餌剤がこぼれ出ないように、底部１０Ｂから約１０ｍｍ、傾斜壁１０Ｓの傾斜面は１５°〜４５°の角度が好ましい。
【００２０】
《毒餌剤収納部１０Ｐ》
容器本体１０内の底部１０Ｂに形成される毒餌剤収納部１０Ｐは、図示しない毒餌剤を収納するもので、底部１０Ｂと土手部１０Ｄとに囲まれた毒餌剤収納部１０Ｐの空間を中央仕切壁１０Ｃで２分割して２個の毒餌剤収納部１０Ｐ１、１０Ｐ２を形成している。２つの毒餌剤収納部１０Ｐ１、１０Ｐ２には異なる種類の毒餌剤が収納され、食性の異なるアリを防除対象にすることができる。
【００２１】
《補助バー１０Ｌ》
さらに、容器本体１０の底部１０Ｂには、蓋体２０の係合部材２０Ｇの先端の係合突起２０Ｋを容器本体１０の周壁部１０Ａの係合窪み１０Ｋに係合させるための補助バー１０Ｌを複数箇所（図１では４箇所）に設けている。
【００２２】
《シール》
運送中に毒餌が毒餌剤収納部１０Ｐ１、１０Ｐ２の上部からこぼれ出ないようにするため、土手部１０Ｄの上部をシール（図示せず）で覆っていて、使用時にシールを剥がして使用する。シールを剥がし易くするために、土手部１０Ｄの上部の平坦部１０Ｈに全周囲に亘って突部１０Ｔを形成してシールの接触面積を少なくしている。
【００２３】
〈本実施形態１により形成されるローパティション１０Ｇ〉
そして、本実施形態１により、各出入口１０Ｅの近傍の周壁部１０Ａと土手部１０Ｄの傾斜壁１０Ｓとの間における底部１０Ｂには、アリが土手部１０Ｄを乗越えるように約２〜５ｍｍの高さであり（本実施形態では３．３ｍｍ）、この高さは歩行中のアリ３００の全高Ｈ（図７参照）とほぼ同じ高さで、蓋体２０との間に空間を有するローパティション１０Ｇが形成されている（図４（Ｄ）参照）。
ローパティション１０Ｇは、ここでは容器本体１０内の底部１０Ｂの土手部１０Ｄの周囲と周壁部１０Ａとの間にこれらと一体に形成されているが、着脱自在の別体に形成されてもよい。
ローパティション１０Ｇの材質としては、合成樹脂、金属、ゴムなどが例示できる。
また、ローパティション１０Ｇのサイズは、土手部１０Ｄの高さ（約１０ｍｍ）の１／４〜１／２程度（すなわち、約２〜５ｍｍの範囲）あればよく、その形状は球状、半球状、円柱、楕円柱、三角柱、四角柱、多角柱、円板、楕円板、三角板、矩形板、多角板、およびこれらの中空体のいずれかでよい。また、ローパティション１０Ｇは、捕獲対象とする種類のアリ３００の全高Ｈに応じて、異なる高さに設定されることが望ましい。ここで、アリ３００の全高Ｈとは、図７に示すように、歩行中のアリ３００の頭３０２の頂部までの高さ（歩行中の正面を向いたアリの目線の高さ）であり、触角３０３の先端も略同じ高さである。
更に、本実施形態１の容器本体１０のように、複数（本実施形態では２つ）の毒餌剤収納部１０Ｐ１、１０Ｐ２に異なる種類の毒餌剤が収納され、食性の異なるアリ（体格の異なるアリ）を防除対象にする場合は、中央仕切壁１０Ｃにより仕切られたそれぞれの毒餌剤収納部１０Ｐ１、１０Ｐ２を囲う土手部１０Ｄの一部と周壁部１０Ａとの間に形成された複数のローパティション１０Ｇ毎に、高さが異なっていることが望ましい。即ち、複数のローパティション１０Ｇの高さを防除対象にするアリの種類に応じて適宜変えることで、それぞれの毒餌剤収納部１０Ｐ１、１０Ｐ２に収納された毒餌剤に誘引された体格の異なるアリ３００が、それぞれの毒餌剤収納部１０Ｐ１、１０Ｐ２に隣接する出入口１０Ｅから侵入した際に、自分の歩行中の全高Ｈとほぼ同じ高さに設定されたローパティション１０Ｇと対峙することになり、それぞれ体格の異なるアリ３００が土手部１０Ｄを乗越え易くなる。
【００２４】
〈蓋体２０〉
図３（Ａ）〜図３（Ｃ）に示すように、蓋体２０は容器本体１０を覆うもので、上記容器本体１０の周壁部１０Ａの係合窪み１０Ｋに対応する蓋体２０の箇所に下方に向けて係合部材２０Ｇを延設し、その先端に係合窪み１０Ｋに係合する係合突起２０Ｋを設けている。蓋体２０の係合部材２０Ｇを周壁部１０Ａと補助バー１０Ｌとの間に挿入し、係合部材２０Ｇの先端の係合突起２０Ｋを容器本体１０の周壁部１０Ａの係合窪み１０Ｋに係合させることで、容器本体１０と蓋体２０は係止され、アリ毒餌剤容器３０が完成する。
【００２５】
〈容器本体１０と蓋体２０の材質等〉
本実施形態のアリ毒餌剤容器３０を構成する容器本体１０と蓋体２０は、それぞれ、合成樹脂（例えば、ポリエチレン、ポリプロピレン、ポリエステル、ポリスチレン、ポリカーボネートなど）から成り、透明・半透明・不透明のいずれでもよい。容器本体１０と蓋体２０では材質が異なってもよい。
また、前記合成樹脂には、帯電防止剤・紫外線防止剤・殺菌剤・防黴剤・害虫防除剤・香料などの各種添加剤を添加してもよい。
形状およびサイズも、特に限定されず、一辺若しくは直径が４ｃｍ〜１０ｃｍ、天面（底面）が１２ｃｍ２〜１５０ｃｍ２の矩形・長方形・円形・楕円形などで、高さが０．５ｃｍ〜５．０ｃｍ程度のものが適当である。
形態的にも、容器本体１０の側周面に出入口１０Ｅを設け、底部１０Ｂの底面に貫通口や筒体を連結して巣の上に置いたり、中に差し込むことで、アリがエサを巣内へ直接運び出せるようにしてもよい。
また、蓋体２０では、板状・ドーム状・逆椀状などが例示できる。
容器本体１０と蓋体２０との接合は、接合部を介して接合一体化されるか、あるいは開閉自在、着脱自在でもよい。
なお、接合方法は、嵌合・超音波熔着・ヒンジによる連結などから選択しうる。
次に、本発明の実施形態２を図５および図６に基づいて説明する。
（実施形態２）
【００２６】
図５（Ａ）〜図６は、アリ毒餌剤容器の本発明の実施形態２に係る容器本体を説明する図である。
実施形態２が上記実施形態１と異なるのは、容器本体１０内の底部１０Ｂに形成される毒餌剤収納部１０Ｐの空間を２分割する中央仕切壁１０Ｃ（実施形態１）を設けないで広く使っている点（実施形態２）である。その他の構成は全部同じである。
更に、アリ毒餌剤容器の本発明の参考例に係る容器本体を図８に基づいて説明する。
（参考例）
【００２７】
〈参考例の容器本体４００〉
容器本体４００は、平坦な底部４００Ｂと、底部４００Ｂの縁部の全周囲３６０度に亘って立設され、複数箇所に出入口４００Ｅが形成された周壁部４００Ａと、周壁部４００Ａの内側空間に全周囲３６０度に亘って形成された土手部４００Ｄと、土手部４００Ｄで全周囲３６０度に亘って囲まれた毒餌剤収納部４００Ｐ１、４００Ｐ２と、を有する。
【００２８】
土手部４００Ｄは、底部４００Ｂから容器中央に向けて傾斜して立設される傾斜壁４００Ｓと、傾斜壁４００Ｓの頂上に全周囲３６０度に亘って形成され、中央に小さな突部４００Ｔを備えた平坦部４００Ｈと、平坦部４００Ｈの縁部（傾斜壁４００Ｓの反対側縁部）から底部４００Ｂに向けて形成された収納壁４００Ｗとから成る。
参考例の容器本体４００が上記実施形態１の容器本体１０と異なるのは、出入口４００Ｅの近傍で周壁部４００Ａと土手部４００Ｄの上部との間に、土手部４００Ｄの上部よりも高く蓋体との間に空間がない仕切壁４００Ｋが複数箇所に形成されている点である。即ち、仕切壁４００Ｋは、アリ３００の全高Ｈとほぼ同じ高さである３.３ｍｍのローパティション１０Ｇよりも高い約１２ｍｍの高さを有して蓋体の内面に達している。
【００２９】
〈アリ防除剤〉
アリ防除剤は従来から知られている各種の薬剤を用いることができる。すなわち、害虫防除剤、またはこの害虫防除剤とその共力剤の少なくとも１種以上を含有した毒餌剤を対象害虫が摂食することによりその致死量以上が体内に摂取される量を配合すればなんら制限はない。そして、害虫防除剤としては、（１）ピレスロイド系殺虫剤、（２）有機リン系殺虫剤、（３）カーバメイト系殺虫剤、（４）昆虫成長調節剤、（５）キチン合成阻害型昆虫成長調節剤、（６）その他の殺虫剤および共力剤などが挙げられる。
【００３０】
〈（１）ピレスロイド系殺虫剤〉
アレスリン、エキスリン、フタルスリン、レスメトリン、ペルメトリン、フェノトリン、フェンバレレート、フェンプロパトリン、エンペントリン、フェンフルスリン、プラレトリン、トランスフルスリン、テフルスリン、サイフェノトリン、テラレスリン、エトフェンプロックスなど。
【００３１】
〈（２）有機リン系殺虫剤〉
ＤＤＶＰ、フェニトロチオン、ダイアジノン、マラチオン、アセフェート、ピリミホスメチルなど。
【００３２】
〈（３）カーバメイト系殺虫剤〉
プロポクスル、カルバリル、ベンフラカルブ、アラニカルブなど。
【００３３】
〈（４）昆虫成長調節剤〉
メトプレン、ハイドロプレン、ピリプロキシフェン、フェノキシカルブ。
【００３４】
〈（５）キチン合成阻害型昆虫成長調節剤〉
ジフルベンズロン、トリフルムロン、テフルベンズロン、クロルフルアズロン、フルフェノクスロン、ヘキサフルロン、シロマジンなど。
【００３５】
〈（６）その他の殺虫剤〉
メトキサジアゾン、ヒドラメチルノン、イミダクロプリド、アバメクチン、ホウ酸、スルフルラミド、フィプロニルなど。
【００３６】
以上のものを害虫防除剤として例示することができるが、もちろんこれらに限定されるものではない。
さらに、前記殺虫剤および共力剤の各種異性体・誘導体・類縁体なども含まれる。
また、例えば、社会性をもつ害虫であるアリ類を例に挙げると、働きアリが巣以外の場所で餌を見つけると、その餌を口にくわえたりあるいは体内に蓄えて、巣に戻ってからその餌を幼虫に分け与える作業を行うことが知られている。この場合は、殺虫剤に使用された害虫防除成分が働きアリに対して、アリ毒餌剤を餌と同様に巣に持ち帰る間は、影響を与えることがなく、さらに巣全体の過半数以上にその殺虫剤が及ぶ時間は影響がないものであればよく、蓄積性のある害虫防除成分あるいは生育阻害を起こすような害虫防除成分が好ましい。
本発明の殺虫剤において、構成組成物中の食餌成分量に対する害虫防除成分の添加割合は、０．００１〜５０質量％の範囲とすることができる。
【００３７】
〈誘引剤〉
《動物性食餌成分》
この発明において、誘引剤は、動物性食餌成分としては、動物性タンパク質や動物性脂質などがある。これらは食餌成分の基材として用いることもできる。
【００３８】
《植物性食餌成分》
植物性食餌成分としては、炭水化物（主として、糖類）、植物性タンパク質や植物性脂質などがある。これらは食餌成分の基材として用いることもできる。
また、摂食を促進する物質として、カボチャ、トウモロコシの乾燥体、マッシュルーム、シイタケ、コンブ、キャベツ、タマネギの粉末およびそのエキス単独もしくは混合物などがあり、これらを前記植物性食餌成分と一緒に用いることもでき、前記の粉末はそれ自体植物性食餌成分として用いることもできるものであって、摂食促進物質と植物性食餌成分とを兼ねることができる。
【００３９】
前記動物性食餌成分または植物性食餌成分は、それぞれ１種のみを用いても良いし、また２種以上用いても良く、また、タンパク質、アミノ酸、炭水化物（主として、糖類）および脂質から選ばれたものを適当な比率において配合した組成物であってもよい。必要により、それぞれの摂食を促進する物質と混合して使用してもよい。この場合、摂食を促進する物質の添加割合は、各食餌成分に対して０．９〜９０質量％、好ましくは１〜５０質量％の範囲とすることができる。
【００４０】
〈害虫誘引物質〉
また、これらと併用できる害虫誘引物質としては、例示すれば、脂肪酸のメチルまたはエチルエステル、飽和または不飽和アルコール、非還元性デンプン加水分解物、シクロヘキシル基を持つカルボン酸エステル、芳香性を持つ脂肪酸ケトン、アルコール、アルデヒド、ラクトン、エステル、また道しるべフェロモンとして知られるもの、すなわち、（３Ｓ，４Ｒ，６Ｅ，１０Ｚ）−３．４，７，１１−テトラメチル−トリデカ−６，１０−ジエナール、（Ｚ）−９−ヘキサデセナール、２，５−ジメチルピラジン、３−メチル−２，５−ジメチルピラジン、Ｚ，Ｅ−α−フラネセン、Ｅ，Ｅ−α−フラネセンなどが挙げられ、その使用量は５質量％以下である。
【００４１】
〈その他の添加剤〉
さらに、上述した食餌成分、摂食促進物質、害虫誘引物質や増量剤と共に、製剤のためにはこの他必要に応じ、酸化防止剤、結合材、吸収剤、保存剤、誤食防止剤、そして害虫に対する誘引性を増強する香料などを添加してもよい。
【００４２】
以下の試験例に基づいて、本実施形態に係るアリ毒餌剤容器３０の性能を評価した。
〈試験例〉
《供試虫》
クロヤマアリ、トビイロケアリ
《検体》
試験１では、検体容器として実施形態１の高さ３．３ｍｍのローパティション１０Ｇを備えた容器本体１０（図２参照）を用い、対照検体容器１として特許文献１のローパティションを備えない容器本体１００（図９参照）を用いた。
試験２では、検体容器として実施形態１の高さ３．３ｍｍのローパティション１０Ｇを備えた容器本体１０（図２参照）を用い、対照検体容器２として参考例の仕切壁４００Ｋを備えた容器本体４００（図８参照）を用いた。
《方法》
試験方法は以下の（１）〜（４）に示す。
（１）プラスチックケース（直径６０ｃｍ、高さ３０ｃｍ）に供試虫約５０頭を放つ。
（２）上記プラスチックケース内底面に、試験１では検体容器および対照検体容器１を設置し、試験２では検体容器および対照検体容器２を設置する。
（３）上記容器内に侵入した頭数および該容器内の土手部を乗り越えて毒餌剤収納部に到達した頭数Ｘをカウントする。
（４）供試虫中１０頭が侵入するまで観察し、以下の式により土手乗り越え率Ｄを算出する。
土手乗り越え率Ｄ＝（毒餌剤収納部到達頭数Ｘ／容器内侵入頭数１０）×１００
（５）
１）試験１では、トビイロケアリを用いて２回実施し、平均値をとった。
さらに、クロヤマアリを用いて３回実施し、平均値をとった。
２）試験２では、トビイロケアリを用いて２回実施し、平均値をとった。
【００４３】
〈試験１の結果〉
土手乗り越え率Ｄ（％）は以下のようになった。
検体容器（図２参照）の場合、トビイロケアリ：Ｄ＝８０、クロヤマアリ：Ｄ＝６０
対照検体容器１（図９参照）の場合、トビイロケアリ：Ｄ＝１５、クロヤマアリ：Ｄ＝４０
【００４４】
〈試験２の結果〉
土手乗り越え率Ｄ（％）は以下のようになった。
検体容器（図２参照）の場合、トビイロケアリ：Ｄ＝８０
対照検体容器２（図８参照）の場合、トビイロケアリ：Ｄ＝２０
【００４５】
〈図６の容器本体１０の場合〉
以上は、検体容器として実施形態１における図２の容器本体１０を使用したが、検体容器として実施形態２における図６の容器本体１０を使用しても、図２の容器本体１０を使用した場合とほぼ同じ結果を得ることができた。
【００４６】
〈まとめ〉
以上の試験１および試験２から判ることは、本実施形態１，２に係る容器本体１０を備えたアリ毒餌剤容器３０をアリの出没する箇所に設置すると、アリが出入口１０Ｅからアリ毒餌剤容器３０内に入り、蓋体２０との間に空間を有するローパティション１０Ｇが通路内にあるだけで、アリは意外にもローパティション１０Ｇを乗り越えて土手部１０Ｄの周囲を歩行する行動をせずに、かつ、Ｕターンすることもせずに、多くが土手部１０Ｄを登り始めるようになり、その結果、高い土手乗り越え率で毒餌剤収納部１０Ｐに足を踏み入れ（トビイロケアリで８０％、クロヤマアリで６０％）、毒餌剤を毒餌剤収納部１０Ｐから運び出す状況を確認することができた。
一方、ローパティション１０Ｇを通路内に備えていない図９の従来のアリ毒餌剤容器の容器本体１００の場合は、土手部１００Ｄの傾斜壁１００Ｓを登ろうとするきっかけがないためか、周壁部１００Ａと土手部１００Ｄの間の底部１００Ｂを通路としてグルグル歩行し続けるだけで、土手部１００Ｄの傾斜壁１００Ｓを登ろうとするアリは少なかった（トビイロケアリで１５％、クロヤマアリで４０％）。
また、周壁部４００Ａと土手部４００Ｄの平坦部４００Ｈとの間に、蓋体２０との間に空間がなく平坦部４００Ｈの周方向の通路を遮断するような高い仕切壁４００Ｋを設けた図８の参考例のアリ毒餌剤容器の容器本体４００の場合は、アリが土手部４００Ｄを周方向に歩行することができず、自分の全高Ｈよりも遥かに高くそびえる仕切り壁４００Ｋが警戒心を与えてＵターンしてしまうためか、土手部４００Ｄの傾斜壁４００Ｓを登ろうとするアリは少なかった（トビイロケアリで２０％）。
このように、周壁部１０Ａと土手部１０Ｄとの間に、アリ（トビイロケアリの働きアリは体長２．５ｍｍ〜３．５ｍｍ、クロヤマアリの働きアリは体長４ｍｍ〜６ｍｍ）の全高Ｈとほぼ同じ高さ（例えば、トビイロケアリ等の小型のアリには３ｍｍ程度、クロヤマアリのような大型のアリには５ｍｍ程度の高さが適当であり、約２〜５ｍｍの範囲で調節可能である。）で蓋体２０との間に空間を有するローパティション１０Ｇが形成されると、多くのアリが土手部１０Ｄを登り始めるようになり、土手乗り越え率が高くなる。これは、アリ３００がローパティション１０Ｇに対峙した際、自分の全高Ｈよりも高く跨ぐことは容易でないが、上部に空間があることを感知することで、仕切壁４００Ｋに対峙した時のようにＵターンするのではなく、かつ、ローパティション１０Ｇを乗り越えることもせずに、横に移動してローパティション１０Ｇを迂回する行動をとる為であると考えられる。
【００４７】
ここで、上述した本発明に係るアリ毒餌剤容器の実施形態の特徴をそれぞれ以下ｉ項〜ｉｖ項に簡潔に纏めて列記する。
【００４８】
［ｉ］  アリ毒餌剤を収容する容器本体１０と、前記容器本体１０の上を覆う蓋体２０とを備えたアリ毒餌剤容器３０であって、
前記容器本体１０は、平坦な底部１０Ｂと、前記底部１０Ｂの縁部の全周囲３６０度に亘って立設され、複数箇所に出入口１０Ｅが形成された周壁部１０Ａと、前記周壁部１０Ａの内側空間に全周囲３６０度に亘って形成された土手部１０Ｄと、前記土手部１０Ｄで全周囲３６０度に亘って囲まれた毒餌剤収納部１０Ｐと、を有し、
前記各出入口１０Ｅの近傍の前記周壁部１０Ａと前記土手部１０Ｄとの間における前記底部１０Ｂには、アリが前記土手部１０Ｄを乗越えるように前記蓋体２０との間に空間を有するローパティション１０Ｇが形成されているアリ毒餌剤容器３０。
［ｉｉ］  前記毒餌剤収納部１０Ｐが、中央仕切壁１０Ｃによって複数の毒餌剤収納部１０Ｐ１，１０Ｐ２に仕切られている上記［ｉ］のアリ毒餌剤容器。
［ｉｉｉ］  前記ローパティション１０Ｇは、前記中央仕切壁１０Ｃにより仕切られたそれぞれの前記毒餌剤収納部１０Ｐ１，１０Ｐ２を囲う前記土手部１０Ｄの一部と前記周壁部１０Ａとの間に形成された複数の前記ローパティション１０Ｇ毎に、高さが異なっている上記［ｉｉ］のアリ毒餌剤容器。
［ｉｖ］  前記ローパティション１０Ｇの高さが、前記底部１０Ｂから約２〜５ｍｍの範囲である上記［ｉ］〜［ｉｉｉ］の何れかのアリ毒餌剤容器。
【００４９】
以上、本発明を実施形態をもとに説明した。この実施形態は例示であり、それらの各構成要素及びその組み合わせにいろいろな変形例が可能なこと、またそうした変形例も本発明の範囲にあることは当業者に理解されるところである。
【符号の説明】
【００５０】
１０：容器本体
１０Ａ：周壁部
１０Ｂ：底部
１０Ｃ：中央仕切壁
１０Ｄ：土手部
１０Ｅ：出入口
１０Ｇ：ローパティション
１０Ｈ：平坦部
１０Ｋ：係合窪み
１０Ｌ：補助バー
１０Ｐ、１０Ｐ１、１０Ｐ２：毒餌剤収納部
１０Ｓ：傾斜壁
１０Ｔ：突部
１０Ｗ：収納壁
２０：蓋体
２０Ｇ：係合部材
２０Ｋ：係合突起
３０：アリ毒餌剤容器
【図１】
0005856560.tif 000002
【図２】
0005856560.tif 000003
【図３】
0005856560.tif 000004
【図４】
0005856560.tif 000005
【図５】
0005856560.tif 000006
【図６】
0005856560.tif 000007
【図７】
0005856560.tif 000008
【図８】
0005856560.tif 000009
【図９】
0005856560.tif 000010
【図１０】
0005856560.tif 000011